(57)【要約】【課題】ソファーとして使用しているときには肘当て部が備え付けられ、ベッドとして使用するときは容易に収納することができるソファー兼用ベッドを提供すること。【解決手段】肘当てアーム６ｂが、背もたれ部４の起立状態で、この背もたれ部４から前方に略水平に突設する使用位置と、背もたれ部４に設けた肘当て用貫通溝９ｂに収納される不使用位置間を移動可能に支持されているので、ベッドとして利用するときに肘当て部が邪魔にならない。また、肘当てアーム６ｂが不使用位置より使用位置に移動したときに、使用位置でそれ以上の肘当て６ｂの移動を阻止する移動停止手段３４ａ、３８が設けられているので、肘当てアーム６ｂの使用時に、肘当てアーム６ｂを常に定位置に引き出すことができる。【選択図】  図５
2004160016.tif 000002
【特許請求の範囲】
【請求項１】
本体フレームに固設された略水平な座部と、前記座部の後方で起立する起立状態と、前記座部の後方で座部と連続して略水平をなす水平状態との間で本体フレームに対し回動可能に支持された背もたれ部と、前記背もたれ部に設けた肘当て部とを有するソファー兼用ベッドにおいて、
前記肘当て部は、前記背もたれ部の起立状態で該背もたれ部から前方に略水平に突設する使用位置と、背もたれ部に設けた肘当て収納溝に収納される不使用位置間を移動可能に支持されていることを特徴とするソファー兼用ベッド。
【請求項２】
前記肘当て収納溝は、前記背もたれ部の起立時において上部となる側が開口している背もたれ部表面側に形成した凹み部である請求項１に記載のソファー兼用ベッド。
【請求項３】
前記肘当て収納溝は、前記背もたれ部の表面側から裏面側まで切り欠かれた貫通溝である請求項１に記載のソファー兼用ベッド。
【請求項４】
前記肘当て部は、使用位置における下面が、背もたれ部の表面と面一となるように前記肘当て収納溝に収納される請求項１ないし３の何れかに記載のソファー兼用ベッド。
【請求項５】
前記肘当て部の先端面が、背もたれ部の起立時における上面と面一となるように前記肘当て収納溝に収納される請求項１ないし４の何れかに記載のソファー兼用ベッド。
【請求項６】
前記肘当て部は、使用位置における上面側に硬質材を、下面側にクッション材を配してなる請求項１ないし５の何れかに記載のソファー兼用ベッド。
【請求項７】
前記肘当て部が不使用位置より使用位置に移動したときに、使用位置でそれ以上の肘当て部の移動を阻止する移動停止手段が設けられている請求項１ないし６の何れかに記載のソファー兼用ベッド。
【請求項８】
前記肘当て部の使用位置と不使用位置間の移動は、回動と直線移動との組合せである請求項１ないし７の何れかに記載のソファー兼用ベッド。
【請求項９】
前記本体フレームの左右端に支持側板が設けられ、該支持側板の上面高さを、前記肘当て部の使用位置における上面高さとほぼ同じとする請求項１ないし８の何れかに記載のソファー兼用ベッド。
【請求項１０】
前記背もたれ部の背面側には把持棒が略水平に配設されている請求項１ないし９の何れかに記載のソファー兼用ベッド。
【請求項１１】
前記背もたれ部の背面側には把持棒が略水平に配設され、該把持棒は前記貫通溝の形成位置に設けられている請求項３に記載のソファー兼用ベッド。
【発明の詳細な説明】
【０００１】
【発明の属する技術分野】
本発明は、本体フレームに固設された略水平な座部と、前記座部の後方で起立する起立状態と、前記座部の後方で座部と連続して略水平をなす水平状態との間で本体フレームに対し回動可能に支持された背もたれ部とを有するソファー兼用ベッドに関する。
【０００２】
【従来の技術】
この種のソファー兼用ベッドにおいて、座部を固定したまま背もたれ部を起立状態から水平状態に回動させてベッドとして利用でき、通常は背もたれ部を起立状態に固定してソファーとして使用できるものが知られている（特許文献１参照）。また、座部を前方に引出し、背もたれ部を前方に回動させてベッドとするものも知られていた（特許文献２参照）。
【０００３】
【特許文献１】
実公昭４１−２００４３号公報（第１−２頁、第１図、２図）
【特許文献２】
特開平９−２３８７７９号公報（第４−５頁、第３図―５図）
【０００４】
【発明が解決しようとする課題】
しかしながら、上記した何れの特許文献に記載したものも、ベッド使用時に背もたれ部を平らな状態にする必要があるために、背もたれ部には肘当て部等の付属物は取り付けないようにしているのが現状であり、通常ソファーとしての利用時間の長いソファー兼用ベッドにおいて、肘当て部がないと不便であった。
【０００５】
本発明は、このような状況に鑑みてなされたもので、ソファーとして使用しているときには肘当て部が備え付けられ、ベッドとして使用するときは容易に収納することができるソファー兼用ベッドを提供することを目的とするものである。
【０００６】
【課題を解決するための手段】
上記課題を解決するために、本発明のソファー兼用ベッドは、本体フレームに固設された略水平な座部と、前記座部の後方で起立する起立状態と、前記座部の後方で座部と連続して略水平をなす水平状態との間で本体フレームに対し回動可能に支持された背もたれ部と、前記背もたれ部に設けた肘当て部とを有するソファー兼用ベッドにおいて、
前記肘当て部は、前記背もたれ部の起立状態で該背もたれ部から前方に略水平に突設する使用位置と、背もたれ部に設けた肘当て収納溝に収納される不使用位置間を移動可能に支持されていることを特徴としている。
この特徴によれば、肘当て部を肘当て収納溝に収納できるので、ベッドとして利用するときに肘当て部が邪魔にならない。
【０００７】
本発明のソファー兼用ベッドにおいて、前記肘当て収納溝は、前記背もたれ部の起立時において上部となる側が開口している背もたれ部表面側に形成した凹み部であることが好ましい。
このようにすれば、肘当て部を収納する際、肘当て部が凹み部に当接できるので、凹み部をストッパーとしての機能を持たせることができる。
【０００８】
本発明のソファー兼用ベッドにおいて、前記肘当て収納溝は、前記背もたれ部の表面側から裏面側まで切り欠かれた貫通溝であることが好ましい。
このようにすれば、収納溝の形成が容易である。
【０００９】
本発明のソファー兼用ベッドにおいて、前記肘当て部は、使用位置における下面が、背もたれ部の表面と面一となるように前記肘当て収納溝に収納されることが好ましい。
このようにすれば、肘当て部を収納してベッドとして使用するとき、肘当て部が背もたれ部の表面と同一面上となるので、肘当て部がベッド利用者の障害となることがない。
【００１０】
本発明のソファー兼用ベッドにおいて、前記肘当て部の先端面が、背もたれ部の起立時における上面と面一となるように前記肘当て収納溝に収納されることが好ましい。
このようにすれば、肘当て部を収納してベッドとして使用するとき、肘当て部のところが凹凸にならないので、美観上好ましいだけでなく手等が触れて怪我するような心配もない。
【００１１】
本発明のソファー兼用ベッドにおいて、前記肘当て部は、使用位置における上面側に硬質材を、下面側にクッション材を配してなることが好ましい。
このようにすれば、上面側が硬質材で構成されているから肘当てとしての耐久性が向上すると共に、下面側にクッション材で構成されているからベッドとしての使用感を向上させることができる。
【００１２】
本発明のソファー兼用ベッドにおいて、前記肘当て部が不使用位置より使用位置に移動したときに、使用位置でそれ以上の肘当て部の移動を阻止する移動停止手段が設けられていることが好ましい。
このようにすれば、肘当て部の使用時に、肘当て部を常に定位置に引き出すことができる。
【００１３】
本発明のソファー兼用ベッドにおいて、前記肘当て部の使用位置と不使用位置間の移動は、回動と直線移動との組合せであることが好ましい。
このようにすれば、肘当て部を肘当て収納溝にぴったりとはめこむことができる。
【００１４】
本発明のソファー兼用ベッドにおいて、前記本体フレームの左右端に支持側板が設けられ、該支持側板の上面高さを、前記肘当て部の使用位置における上面高さとほぼ同じとすることが好ましい。
このようにすれば、左右の支持側板によりソファー兼用ベッドを安定的に設置できると共に、左右端に腰掛ける人が肘当てとして支持側板の上面を利用できる。
【００１５】
本発明のソファー兼用ベッドにおいて、前記背もたれ部の背面側には把持棒が略水平に配設されていることが好ましい。
このようにすれば、背もたれ部の回動を把持棒により操作できるだけでなく、背もたれ部が起立状態にある時に手摺りとしても利用できる。
【００１６】
本発明のソファー兼用ベッドにおいて、前記背もたれ部の背面側には把持棒が略水平に配設され、該把持棒は前記貫通溝の形成位置に設けられていることが好ましい。
このようにすれば、肘当て部の不使用位置での回動停止部として機能させることができる。
【００１７】
【発明の実施の形態】
以下、本発明の実施例を図面に基づいて説明する。
【００１８】
図１〜図４は本発明の一実施形態を示すもので、図１はソファー兼用ベッドの斜視図であって、（ａ）は背もたれ部が起立状態にあるソファー兼用ベッドを正面から視た斜視図、（ｂ）はソファー兼用ベッドを後方から視た斜視図、（ｃ）は背もたれ部が水平状態にあるソファー兼用ベッドを正面から視た斜視図、図２は図１（ａ）のＡ―Ａ断面図、図３は図１（ｃ）のＣ―Ｃ断面図であり、図４の（ａ）は起立状態にある背もたれ部から肘当て部が前方に水平に突設保持されている状態を示す作用説明図、（ｂ）は肘当て部が水平状態から起立方向に回動した状態を示す作用説明図、図５は肘当て部が起立方向に回動した後背もたれ部の収容部内に収容された状態の作用説明図であり、図６は肘当て部を背もたれ部の収容部に対し回動を係止する係止手段との関係を示す分解斜視図である。
【００１９】
図１において、符号１はソファー兼用ベッドであって、このソファー兼用ベッド１は、後述する本体フレームＦに固設された略水平な座部２と、この座部２の後方で起立する起立状態と、座部２の後方で座部２と連続して略水平をなす水平状態との間で本体フレームＦに対し回動可能に支持された背もたれ部４とを有し、且つ背もたれ部４が起立状態に移行した時には自動的にロックがかかり、背もたれ部４を起立状態に維持する左右一対の自動ロック機構１４ａ、１４ｂ（後述する）から構成されている。
【００２０】
詳しくは、図２に示すように背もたれ部４の座部２側に近接する左右端部に固設された一対のブラケット１５と、座部２の左右端部に固設された一対のブラケット１６は、背もたれ部４と座部２の対向する角部上方に配設された枢軸１８に回動可能に枢着されている。
【００２１】
また、背もたれ部４には、枢軸１８を中心として回動させて起立状態から水平状態に移行する際の衝撃を緩和するために、回動時の慣性力を制限するために抵抗を付与する手段として例えばショックアブソーバ２０を備えている。
【００２２】
このショックアブソーバ２０は、シリンダ２０ａと、このシリンダ２０ａ内に摺動可能に挿嵌され内部に絞り弁が組込まれたピストンとから構成されており、背もたれ部４が起立状態から水平状態に移行する際にロッド２０ｂを介してシリンダ２０ａ内を移動するピストンの圧縮作用により、ヘッド側の部屋からロッド側の部屋に流れる高圧ガスの流量を絞り弁により絞ることでピストンの移動時における速度を制限している。
【００２３】
そして、このショックアブソーバ２０は、ロッド２０ｂの先端が座部２を支持する本体フレームＦの前方上面に設けられた支持部２２ａに回動可能に枢着されると共に、シリンダ２０ａのヘッド側も背もたれ部４の座部２に対向する側面下方に設けられた支持部２２ｂに回動可能に枢着されている。
【００２４】
このソファー兼用ベッド１の左右両端には、下面前後にキャスタ７を配置した一対の肘当て部となる支持側板５ａ、５ｂを有すると共に、背もたれ部４の長手方向内方に形成された２つの肘当て用貫通溝９ａ、９ｂに、一対の肘当てアーム６ａ、６ｂが収容されている。この支持側板５ａ、５ｂは本体フレームＦと一体的に連結され、本ソファー兼用ベッド１の支持枠体を構成している。
【００２５】
これら一対の肘当てアーム６ａ、６ｂは、背もたれ部４が起立状態にあるとき、この背もたれ部４から前方に略水平状態に突設する使用位置と、背もたれ部４の肘当て用貫通溝９ａ、９ｂに収納される不使用位置間で移動可能に支持されている。
【００２６】
更に、これらの肘当てアーム６ａ、６ｂは、不使用位置では、使用位置における下面が、起立状態にある背もたれ部４の表面と面一になるよう肘当て用貫通溝９ａ、９ｂに収納されるようになっており、肘当てアーム６ａ、６ｂの先端面も背もたれ部４の上面と面一となるように構成されている。
【００２７】
また、本体フレームＦの左右端に設けられた垂直の支持側板５ａ、５ｂは、その高さが、両肘当てアーム６ａ、６ｂの使用位置における上面高さとほぼ同じ高さになるよう構成されている。
【００２８】
そして、肘当てアーム６ａ、６ｂは、使用位置における上面側には合成樹脂などで構成される硬質材Ｔが取付けられ、その下面側は座部２及び背もたれ部４と同じ材質のクッション材Ｓで構成されている（図５、６参照）。
【００２９】
また、背もたれ部４は、図４に示すように、起立状態において少なくとも支持側板５ａ、５ｂの上面と略同一高さとなる後面支持板８によってその後面が支持されており、背もたれ部４の背面には把持棒Ｈが肘当て用貫通溝９ａ、９ｂの形成位置に全長に亘って水平に配設されている。したがって、把持棒Ｈは肘当てアーム６ａ、６ｂの不使用時における回転止めとして機能する。
【００３０】
尚、上記のように、不使用位置で肘当てアーム６ａ、６ｂを収容する肘当て用貫通溝９ａ、９ｂは、背もたれ部４を貫通せずに、起立時に上部となる側が開口し、背もたれ部４の表面側に凹溝を形成した凹み部とすることもできる。
【００３１】
次に、自動ロック機構１４ａ、１４ｂは、図２，３に示すように、ソファー兼用ベッド１の左右端における両支持側板５ａ、５ｂ近傍の本体フレームＦに内方に向けて突設するロックピン２４と、背もたれ部４の座部２側に面する下端部と後面支持板８の端部間に所定角度をもって一体的に固設されたロックピン把持体２５とから構成されている。
【００３２】
そして、ロックピン把持体２５は、その片側側面に形成される把持部２５ａの両側に、ロックピン２４を把持する図示しない一対の把持爪が開閉可能に配置され、ロックピン２４により開放状態にある把持爪の中央を内部に押圧する作用でこのロックピン２４が弾力的に自動把持されるように構成されている。
【００３３】
これらロックピン２４は、枢軸１８を中心とするロックピン把持体２５の把持部２５ａを半径とする円弧上に配設されており、背もたれ部４が水平状態から起立状態に移行する回動作用によってロックピン把持体２５の把持部２５ａに一対の把持爪を介して自動的にロックされるようになっている。
【００３４】
座部２の略中央部下面には、図１（ａ）に示すように、左右の自動ロック機構１４ａ、１４ｂのロックを同時に解除する解除操作部１２が設けられており、この解除操作部１２は、ロック解除操作レバー２６とワイヤーＷを介して連結されている。
【００３５】
そこで、起立状態にあるソファー兼用ベッド１を、ベッドとして使用する際は、背もたれ部４を水平状態へ移行するために、解除操作部１２の解除操作を行うと、一対のワイヤーＷを介してロックピン把持体２５のロック解除操作レバー２６が把持爪を開放しロックピン２４のロックが解除される。
【００３６】
これにより、ロックが解除された背もたれ部４は、起立状態から後方に押されることで枢軸１８を中心として図２において時計回り（下方に）回動し、背もたれ部４の後面が左右端における両支持側板５ａ、５ｂの本体フレームＦから内側に突設した一対のストッパー２８に当接して水平状態に保持することができる。
【００３７】
次に、水平状態にあるソファー兼用ベッド１を、ソファーとして使用する際は、背もたれ部４を起立状態へ移行するために、水平状態にある背もたれ部４背面の把持棒Ｈを持って持ち上げた際、背もたれ部４が枢軸１８を中心として反時計回り（上方に）回動する動作と同時にロックピン把持体２５が回動することで、左右のロックピン２４が把持部２５ａにより把持されて自動的にロックされ起立状態が保持される。解除操作部１２は、復帰弾力により自動的に解除前の状態に保持される。
【００３８】
次に、肘当てアーム６ａ、６ｂの移動停止手段に付き図４〜図６を参照して説明する。
【００３９】
図６に示すように、背もたれ部４に設けた肘当て用貫通溝９ａ、９ｂの対向する側面には斜め下方に向く直線状の長溝３４が形成され、この長溝３４の中央には長溝３４に沿って更に深い細長溝３５が形成されており、背もたれ部４が起立状態における長溝３４の上端部には左側にほぼ直角に折曲した顎部３４ａを持つ幅広溝が形成されている。
【００４０】
一方、肘当てアーム６ｂは、側面視略三角形状に形成されており、その底辺部位を横方向に貫通した支持軸３６の両端には、一対の長円形に形成された案内コマ３８が肘当てアーム６ｂの両側面に固設されている。
【００４１】
そして、一対の案内コマ３８は、その他端側に内側に向けて挿通した固定ピンＰを肘当てアーム６ｂの両側面に差し込み固定することで、所定角度に保持されている。
【００４２】
そこで、一対の案内コマ３８を挿通した支持軸３６の両端３６ａ、３６ｂを、対向する肘当て用貫通溝９ａ、９ｂの長溝３４内の細長溝３５に挿入係止すると共に、上記一対の案内コマ３８を長溝３４に挿嵌させることで、起立状態にある肘当てアーム６ｂを長溝３４ないし細長溝３５に沿って上下方向に移動できるようになっている。
【００４３】
図４の（ａ）に示すように肘当て用貫通溝９ａ、９ｂの底部は、支持面３０として形成されており、肘当てアーム６ｂが使用位置にあるときは、肘当て用貫通溝９ａ、９ｂの下面の傾斜したクッション材Ｓが支持面３０に当接した際に水平状態に保持されるようになっている。
【００４４】
また、図５に示すように、肘当てアーム６ｂが不使用位置となる肘当て用貫通溝９ａ、９ｂに収納された状態では、肘当てアーム６ｂの下面が支持面３０に当接することで肘当てアーム６ｂの先端面が、起立時における背もたれ部４の上面と面一となるようになっている。
【００４５】
次に、肘当てアーム６ａ、６ｂの移動停止手段の作用に付き説明する。
【００４６】
先ず、背もたれ部が起立状態において、肘当てアーム６ａ、６ｂを使用位置から不使用位置に移動するに際し、一対の案内コマ３８は、図４の（ａ）に示すように長溝３４の上端に形成された顎部３４ａに係止された状態にあり、この顎部３４ａとの係止により肘当てアーム６ｂが水平に保持されている。
【００４７】
次いで、図４の（ｂ）に示すように、肘当てアーム６ｂを細長溝３５上端に挿嵌されている支持軸３６両端３６ａ、３６ｂを中心として略９０度上方に回動させることで、案内コマ３８が長溝３４の方向を向く。
【００４８】
この状態で、肘当てアーム６ｂを斜め下方に押し下げることで、案内コマ３８ないし支持軸３６の両端３６ａ、３６ｂは、長溝３４ないし細長溝３５に案内されて、図５に示すように、肘当てアーム６ｂの底部が肘当て用貫通溝９ｂの支持面３０に当接保持され、肘当てアーム６ｂの下面ないしその先端面は、背もたれ部４の表面ないし背もたれ部４の上面と面一になる。尚、肘当てアーム６ａ、６ｂを不使用位置から使用位置に移動する際は、逆の動作を行えば良い。
【００４９】
従って、上記のように構成されたソファー兼用ベッドによれば、一対の肘当てアーム６ａ、６ｂが、背もたれ部４の起立状態でこの背もたれ部４から前方に略水平に突設する使用位置と、背もたれ部４に設けた２つの肘当て用貫通溝９ａ、９ｂに収納される不使用位置間を移動可能に支持されており、不使用位置では肘当てアーム６ａ、６ｂを肘当て用貫通溝９ａ、９ｂに収納できるので、ベッドとして利用するときに肘当てアーム６ａ、６ｂが邪魔にならない。
【００５０】
また、一対の肘当てアーム６ａ、６ｂは、使用位置における下面が、背もたれ部４の表面と面一となるように肘当て用貫通溝９ａ、９ｂに収納されるので、ベッドとして使用するとき、肘当てアーム６ａ、６ｂが背もたれ部４の表面と同一面上となるので、ベッド利用者の障害となることがなく安全である。
【００５１】
更に、肘当てアーム６ａ、６ｂの先端面は、背もたれ部４の起立時における上面と面一となるように肘当て用貫通溝９ａ、９ｂに収納されるので、ベッドとして使用するとき、肘当てアーム６ａ、６ｂのところが凹凸にならないので、美観上好ましいだけでなく、手等が触れて怪我するような心配もない。
【００５２】
そして、肘当てアーム６ａ、６ｂは、使用位置における上面側に合成樹脂などで構成される硬質材Ｔが、下面側はクッション材Ｓで構成されているので、肘当てとしての耐久性が向上すると共に、下面側がクッション材Ｓで構成されているのでベッドとしての使用する際の感触を向上させることができる。
【００５３】
そしてまた、肘当てアーム６ａ、６ｂが、不使用位置より使用位置に移動したときに、使用位置でそれ以上の肘当てアーム６ａ、６ｂの移動を阻止する移動停止手段３８，３４ａが設けられているので、肘当てアーム６ａ、６ｂの使用時に、肘当てアーム６ａ、６ｂを常に定位置に引き出すことができる。
【００５４】
更に、肘当てアーム６ａ、６ｂの使用位置と不使用位置間の移動は、回動と直線移動との組合せで行われるので、肘当てアーム６ａ、６ｂを肘当て用貫通溝９ａ、９ｂにぴったりと嵌め込むことができる。
【００５５】
また、本体フレームＦの左右端に支持側板５ａ、５ｂが設けられ、これら支持側板５ａ、５ｂの上面高さを、略水平に突設した肘当てアーム６ａ、６ｂの上面高さとほぼ同じになるように構成することで、左右の支持側板５ａ、５ｂによりソファー兼用ベッドを安定的に設置できると共に、左右端に腰掛ける人が肘当てとして支持側板５ａ、５ｂの上面を利用できる。
【００５６】
そして、背もたれ部４の背面側には把持棒Ｈが略水平に配設されているので、背もたれ部４の回動を把持棒Ｈにより操作できるだけでなく、背もたれ部４が起立状態にある時に手摺りとしても利用できる。
【００５７】
そしてまた、肘当て収納溝が貫通溝９ａ、９ｂで形成されている場合、把持棒Ｈが肘当てアーム６ａ、６ｂの不使用位置での回動停止部として機能させることができる。
【００５８】
【発明の効果】
本発明は以下の効果を奏する。
【００５９】
（ａ）請求項１項の発明によれば、肘当て部を肘当て収納溝に収納できるので、ベッドとして利用するときに肘当て部が邪魔にならない。
【００６０】
（ｂ）請求項２項の発明によれば、肘当て部を収納する際、肘当て部が凹み部に当接できるので、凹み部をストッパーとしての機能を持たせることができる。
【００６１】
（ｃ）請求項３項の発明によれば、収納溝の形成が容易である。
【００６２】
（ｄ）請求項４項の発明によれば、肘当て部を収納してベッドとして使用するとき、肘当て部が背もたれ部の表面と同一面上となるので、肘当て部が利用者の障害となることがない。
【００６３】
（ｅ）請求項５項の発明によれば、肘当て部を収納してベッドとして使用するとき、肘当て部のところが凹凸にならないので、美観上好ましいだけでなく手等が触れて怪我するような心配もない。
【００６４】
（ｆ）請求項６項の発明によれば、上面側が硬質材で構成されているから肘当てとしての耐久性が向上すると共に、下面側にクッション材で構成されているからベッドとしての使用感を向上させることができる。
【００６５】
（ｇ）請求項７項の発明によれば、肘当て部の使用時に、肘当て部を常に定位置に引き出すことができる。
【００６６】
（ｈ）請求項８項の発明によれば、肘当て部を肘当て収納溝にぴったりとはめこむことができる。
【００６７】
（ｉ）請求項９項の発明によれば、左右の支持側板によりソファー兼用ベッドを安定的に設置できると共に、左右端に腰掛ける人が肘当てとして支持側板の上面を利用できる。
【００６８】
（ｊ）請求項１０項の発明によれば、背もたれ部の回動を把持棒により操作できるだけでなく、背もたれ部が起立状態にある時に手摺りとしても利用できる。
【００６９】
（ｋ）請求項１１項の発明によれば、肘当て部の不使用位置での回動停止部として機能させることができる。
【図面の簡単な説明】
【図１】本発明の一実施形態に係るソファー兼用ベッドの斜視図であって、（ａ）はソファー兼用ベッドを正面から視た斜視図、（ｂ）はソファー兼用ベッドを後方から視た斜視図、（ｃ）は背もたれ部を座部の後方で座部と連続する水平状態に移行した状態を示す斜視図である。
【図２】図１（ａ）のＡ―Ａ断面図である。
【図３】図１（ｃ）のＣ―Ｃ断面図である。
【図４】（ａ）は起立状態にある背もたれ部から肘当て部が前方に水平に突設保持されている状態を示す作用説明図、（ｂ）は肘当て部が水平状態から起立方向に回動した状態を示す作用説明図である。
【図５】肘当て部が起立方向に回動した後背もたれ部の収容部内に収容された状態の作用説明図である。
【図６】肘当て部を背もたれ部の収容部に対し回動を係止する係止手段との関係を示す分解斜視図である。
【符号の説明】
１                    ソファー兼用ベッド
２                    座部
４                    背もたれ部
５ａ、５ｂ            支持側板
６ａ、６ｂ            肘当てアーム
７                    キャスタ
８                    後面支持板
９ａ、９ｂ            肘当て用貫通溝
１２                  解除操作部
１４ａ、１４ｂ        自動ロック機構
１５、１６            ブラケット
１８                  枢軸
２０                  ショックアブソーバ
２０ａ                シリンダ
２０ｂ                ロッド
２２ａ、２２ｂ        支持部
２４                  ロックピン
２５                  ロックピン把持体
２５ａ                把持部
２６                  ロック解除操作レバー
２８                  ストッパー
３０                  支持面
３４                  長溝
３４ａ                顎部
３５                  細長溝
３６                  支持軸
３６ａ、３６ｂ        両端
３８                  案内コマ
Ｆ                    本体フレーム
Ｈ                    把持棒
Ｐ                    固定ピン
Ｓ                    クッション材
Ｔ                    硬質材
Ｗ                    ワイヤー
【図１】
2004160016.tif 000003
【図２】
2004160016.tif 000004
【図３】
2004160016.tif 000005
【図４】
2004160016.tif 000006
【図５】
2004160016.tif 000007
【図６】
2004160016.tif 000008